(57)【要約】      （修正有）【課題】低コストで、かつ、プリンタを用いて容易かつ効率的に作成可能であるとともに、作業容易性も兼ね備えた熱転写用プリント済紙体を提供する。【解決手段】熱転写により布地にプリントするためのプリント済紙体であって、コンピュータを用いてデザインされたプリント図柄３が、特殊昇華型インクをインク成分とするプリンタにより、普通紙２の紙面上に反転印刷されている。プリンタとしては、インクジェットプリンタが考え得る。【選択図】図１
0003160476.tif 000002
【実用新案登録請求の範囲】
【請求項１】
熱転写により布地にプリントするためのプリント済紙体であって、
コンピュータを用いてデザインされたプリント図柄が、特殊昇華型インクをインク成分とするプリンタにより、普通紙の紙面上に反転印刷されていることを特徴とする熱転写用プリント済紙体。
【請求項２】
前記熱転写用プリント済紙体において、前記プリンタが、インクジェットプリンタであることを特徴とする請求項１に記載の熱転写用プリント済紙体。
【請求項３】
前記熱転写用プリント済紙体において、前記プリント図柄が、個人情報に関するデザインであることを特徴とする請求項１または請求項２に記載の熱転写用プリント済紙体。
【請求項４】
前記熱転写用プリント済紙体を使ってプリント図柄を転写することによりできる被服であって、
プリント図柄として個人情報に関するデザインを採用することで、第三者が該プリント図柄を見て被服着用者の個人情報を掌握することが可能であることを特徴とする個人情報表示被服。
【請求項５】
前記熱転写用プリント済紙体を使ってプリント図柄を転写することによりできる被服であって、
プリント図柄としてＩＤカード情報に関するデザインを採用することで、該プリント図柄を提示してＩＤカードの提示と同様の効果を奏することを特徴とするＩＤ被服。
【考案の詳細な説明】
【技術分野】
【０００１】
本考案は、熱転写用プリント済紙体に関し、詳しくは、熱転写により布地にプリントするためのプリント済紙体に関するものである。
【背景技術】
【０００２】
近年、Ｔシャツ等の布地に所定のデザインをプリントする場合には、布地専用プリンタを用いて、該デザインを染料によって直接布地にプリントアウトすることが行われている。かかる技術によれば、コンピュータ等でプリント図柄をデザインし、そのままプリンタで布地にプリントできることから、作業容易性の面で効果を奏するものである。しかしながら、該技術に使用する布地専用プリンタは非常に高価であり、それを業種として商売を行う場合を除き、一般的に普及するものではなく、実用性の乏しいものであった。
【０００３】
また、古くからのプリント技術として、熱溶融性を備える顔料や染料により、所定のデザインが反転された図柄をフィルム系用紙の紙面に載せ、該顔料や染料を固化したものが知られている。すなわち、顔料や染料が載せられた紙面を布地にあてがい、その反対面から熱を加えることで顔料や染料が布地に転写し、所定のデザインが布地にプリントされるものである。かかる技術によると、アイロン等さえあれば、誰でも簡単に布地へのプリントを行うことは可能である。しかしながら、フィルム系用紙の紙面に熱溶融性を備える顔料や染料を載せることについて、一般需要者にはほぼ不可能であり、したがって、需要者自身が自らデザインした図柄等を反映させることができるものではなく、決められた既存の完成されたデザインの中から好みのデザイン図柄を選択して、個々に前記転写作業を行うこととなるため、オリジナル性に欠如してしまう。
【考案の開示】
【考案が解決しようとする課題】
【０００４】
本考案は、上記問題点や技術背景に鑑みてなされたものであって、アイロン等の発熱媒体を使って、誰でも容易に且つ低コストで、オリジナル性のある図柄等を、熱転写により布地にプリントすることが可能な熱転写用プリント済紙体を提供することを課題とするものである。
【課題を解決するための手段】
【０００５】
前記課題を解決するため、本考案は、熱転写により布地にプリントするための熱転写用プリント済紙体であって、コンピュータを用いてデザインされたプリント図柄が、特殊昇華型インクをインク成分とするプリンタにより、普通紙の紙面上に反転印刷されている構成となっている。
【０００６】
また、本考案は、前記熱転写用プリント済紙体において、前記プリンタが、インクジェットプリンタである構成を採用し得る。
【０００７】
さらに、本考案は、前記熱転写用プリント済紙体において、前記プリント図柄が、個人情報に関するデザインである構成とすることができる。
【０００８】
またさらに、本考案は、前記熱転写用プリント済紙体を使ってプリント図柄を転写することによりできる被服であって、プリント図柄として個人情報に関するデザインを採用することで、第三者が該プリント図柄を見て被服着用者の個人情報を掌握することが可能である個人情報表示被服である。
【０００９】
そしてまた、本考案は、前記熱転写用プリント済紙体を使ってプリント図柄を転写することによりできる被服であって、プリント図柄としてＩＤカード情報に関するデザインを採用することで、該プリント図柄を提示してＩＤカードの提示と同様の効果を奏することを特徴とするＩＤ被服である。
【考案の効果】
【００１０】
本考案にかかる熱転写用プリント済紙体によれば、自らデザインしたオリジナル性を備える図柄等を、インクジェットプリンタを用いて低コストで紙媒体に反転印刷し、その印刷済みの熱転写用プリント済紙体によって、アイロン等の発熱媒体を使って、熱転写により容易に布地に該デザインをプリントすることができる。したがって、衣服類へのプリントによるオリジナルＴシャツ等や、のぼり・旗等を、簡単かつ低コストで作成することが可能になるという効果を奏する。
【００１１】
また、本考案にかかる熱転写用プリント済紙体によれば、コンピュータを用いてプリント図柄をデザインするものであるため、既存のポスターやパンフレット、写真等もスキャンすることでコンピュータに取り込んでプリント図柄とすることが可能であり、該プリント図柄を反転印刷して本考案にかかる熱転写用プリント済紙体とする態様により、これら写真等を素早く転写して布地にプリントすることができる。
【００１２】
なお、プリントする図柄を個人情報に関するデザインとすることで、例えば要介護者や老人、幼児、ペットその他の個人情報を予め被服にプリントしておくことで、認知症や徘徊症対策として、また、幼児やペットの迷子対策として、さらには、介護者・保護者その他自己を紹介するような場面において、個人の特定などが容易となり、しかも個人情報の情報量が多い場合であっても、プリント対象が布地の被服であるため、表示の大きさが邪魔になる心配がない。そしてまた、衣服自体にＩＤカードやゼッケンの機能を備えさせることも、簡単かつ低コストで可能であるといった、優れた効果を奏するものである。
【考案を実施するための最良の形態】
【００１３】
以下、本考案にかかる熱転写用プリント済紙体の実施形態について、図面を参照しながら詳細に説明する。
【００１４】
図１は、本考案にかかる熱転写用プリント済紙体１の実施形態を示す斜視図である。
本実施形態における熱転写用プリント済紙体１は、図面に示すように、コンピュータＣを用いてデザインされた所定のプリント図柄３が、特殊昇華型インクをインク成分とするプリンタＰによって、普通紙２の紙面上に反転印刷されている構成となっている。
なお、図１（ａ）は、プリント図柄３として個人情報に関するデザインを採用した場合、図１（ｂ）は、該プリント図柄３としてオリジナル模様に関するデザインを採用した場合、について図示されている。
【００１５】
本考案にかかる熱転写用プリント済紙体１でプリントされるプリント図柄３は、図面に示したような個人情報やオリジナル模様等に限定されるものではなく、あらゆるデザインをプリント図柄３として採用することができる。すなわち、写真や絵、文字、図形など、コンピュータＣでデザインされ、あるいは、コンピュータＣに取り込み可能な種々のデザインが採用可能である。
【００１６】
なお、プリント図柄３として個人情報を採用した場合、例えば、要介護者や老人等の個人情報を予め衣服にプリントしておくことで、認知症や徘徊症対策として、また、幼児やペットの迷子対策として、さらには、介護者・保護者その他自己を紹介するような場面において、個人の特定が容易となり、しかも個人情報の情報量が多い場合であっても、プリント対象が布地の衣服であるため、表示の大きさが邪魔になる心配がない。
また、個人情報をプリントすることで学生等のゼッケン・ネームプレートとして機能をもたせることもでき、さらには、ＩＤカードの代わりとして会社制服等に個人情報をプリントすることも可能となる。
【００１７】
デザインされたプリント図柄３を普通紙２へ印刷する場合には、該プリント図柄３を反転させて印刷することとなる。これは言うまでもないが、プリント対象たる布地４に熱転写を行う際、普通紙２の裏側からプリント図柄３に熱を加えるため、該プリント図柄３が左右反転されて布地に転写されることとなるためである。
【００１８】
本考案に使用する特殊昇華型インクは、普通紙２に印刷可能なインクであって、かつ、普通紙２の裏側から印刷された部分を熱源により熱を加えることで、対象へと熱転写可能なインクである。したがって、該特殊昇華型インクを用いることで、誰でも容易にオリジナルデザインによる熱転写用プリント済紙体１を作成することができる。
【００１９】
コンピュータＣでデザインされたプリント図柄３を普通紙２へ印刷するためのプリンタについて、印刷用インクとして前記特殊昇華型インクが用いられていれば、特に限定するものではなく、例えば、インクジェットプリンタが考え得る。このとき、通常の染料系や顔料系のインクの代わりに、特殊昇華型インクが充填されたインクカートリッジをプリンタＰにセットすればよい。
【００２０】
また、本考案で使用される紙については、特に限定するものではなく、前記特殊昇華型インクが印刷され得るものであればよいが、特殊昇華型インクは普通紙２に印刷可能であるため、コスト面を考慮すると、普通紙２で足りる。
【００２１】
なお、プリント図柄３をプリント対象たる布地４に熱転写を行うための発熱媒体としては、特に限定するものではないが、誰でも簡単に転写作業ができるものとして、家庭用のアイロンＩ等が考え得る。
【００２２】
以上の通り構成される本考案にかかる熱転写用プリント済紙体１について、ここで該熱転写用プリント済紙体１を作成するまでの過程について説明する。図２は、本考案にかかる熱転写用プリント済紙体１の作成過程を示す説明図である。
【００２３】
すなわち、本考案にかかる熱転写用プリント済紙体１の作成過程は、以下の工程を経て行われる。
（１）まず、コンピュータＣに取り込んだ画像やコンピュータＣで自ら作成したデザインを用いて、プリント図柄３を作成する。
（２）次に、該コンピュータＣでデザインされたプリント図柄３を、特殊昇華型インクによりプリンタＰを用いて普通紙２に印刷する。このとき、該プリント図柄３は、コンピュータＣ内での処理によって反転された状態で印刷される。
以上の簡単な二つの工程により、熱転写用プリント済紙体１は完成する。
【００２４】
次に、本考案にかかる熱転写用プリント済紙体１を使用して、プリント図柄３を布地４に転写する作業手順について説明する。図３は、本考案にかかる熱転写用プリント済紙体１の使用手順を示す説明図である。
【００２５】
すなわち、本考案にかかる熱転写用プリント済紙体１の使用手順は、以下の工程を経て行われる。
（１）プリント対象たる布地４を用意し、プリントすべき場所を特定し、その場所へ完成した熱転写用プリント済紙体１におけるプリント図柄３の印刷面をあてがう。
（２）次いで、前記熱転写用プリント済紙体１におけるプリント図柄３の裏側から、アイロンＩ等の発熱媒体により熱を加える。このとき、転写不良や転写むらが発生しないよう、プリント図柄３全体に満遍なく熱を加える。なお、転写にかかる時間は、熱を加えて５秒〜１５秒程度である。
（３）最後に、加熱を止め、使用済みとなった熱転写用プリント済紙体１を取り外す。
以上の簡単な三つの工程により、熱転写用プリント済紙体１を使った布地４へのプリント図柄３熱転写は終了する。
【００２６】
ところで、上述した本考案にかかる熱転写用プリント済紙体１を被服に対して使用する場合に、プリント図柄３として、個人情報に関するデザインを採用することで、個人情報表示被服とすることが考え得る。すなわち、要介護者や老人、幼児、ペット、介護者、保護者等といった被服着用者の個人情報をプリント図柄３として被服に転写しておくことで、そのプリント図柄３を見た第三者が、被服着用者の個人情報を掌握することが可能となるため、要介護者や老人等の認知症や徘徊症の人が着用する被服として、また、幼児やペットの迷子対策用被服として、さらには、介護者や保護者その他自己を紹介するような場面における自己紹介被服として、個人の特定が容易であって、その用途は無数に考え得る。
【００２７】
同様に、上述した本考案にかかる熱転写用プリント済紙体１を被服に対して使用する場合に、プリント図柄３として、ＩＤカード情報に関するデザインを採用することで、ＩＤ被服とすることが考え得る。すなわち、被服着用者のＩＤカード情報をプリント図柄３として被服に転写しておくことで、ＩＤカードの提示が必要な場面において、被服のプリント図柄３を提示することで、ＩＤカードの提示と同様の効果を奏することとなる。これにより、通常ＩＤカードは、カードケースに入った状態で首からぶら下げて携行するケースが多いが、それが必要なくなり、紛失の心配もない。
【産業上の利用可能性】
【００２８】
本考案は、布地４へ転写可能なプリント図柄３を、コンピュータＣを使ってデザインし、プリンタＰで普通紙２へ特殊昇華型インクにより印刷することで、誰でも簡単に且つ低コストで、熱転写用プリント済紙体１を作成することが可能である。そしてまた、その熱転写用プリント済紙体１を使って、誰でも簡単に布地４である被服やのぼり・旗などに自在にオリジナルデザインをプリントすることができる。このことは、オリジナルデザインを施した被服を作成できるのみならず、要介護者や老人、幼児、ペット、介護者、保護者等の個人情報を予め被服にプリントしておくことで、認知症や徘徊症対策として、また、幼児やペットの迷子対策として、さらには、介護者や保護者その他自己を紹介するような場面において、個人の特定が容易となり、そしてまた、学生等のゼッケン・ネームプレートとして機能をもたせたり、ＩＤカードの代わりとして会社制服等に個人情報をプリントすることも可能であって、その利用価値は非常に高いものである。
【００２９】
さらにまた、例えば、あるキャンペーン等における応募絵画等をポスターにする場合には、通常、紙媒体としてのポスター掲示がほとんどであったが、本考案にかかる熱転写用プリント済紙体１を使って、該応募絵画等を簡単にＴシャツやポロシャツへプリントすることにより、動く無償の広告塔として、さらなる有効活用が図られることとなり、本考案の利用価値は高く、かつ、産業上の利用可能性は非常に大きいといえる。
【図面の簡単な説明】
【００３０】
【図１】本考案にかかる熱転写用プリント済紙体の実施形態を示す斜視図
【図２】本考案にかかる熱転写用プリント済紙体の作成過程を示す説明図である。
【図３】本考案にかかる熱転写用プリント済紙体の使用手順を示す説明図である。
【符号の説明】
【００３１】
１    熱転写用プリント済紙体
２    普通紙
３    プリント図柄
４    布地
Ｃ    コンピュータ
Ｉ    アイロン（発熱媒体）
Ｐ    プリンタ
0003160476.tif 000003
【手続補正書】
【提出日】平成22年1月25日(2010.1.25)
【手続補正１】
【補正対象書類名】図面
【補正対象項目名】全図
【補正方法】変更
【補正の内容】
【図１】
0003160476.tif 000004
【図２】
0003160476.tif 000005
【図３】
0003160476.tif 000006
【手続補正２】
【補正対象書類名】実用新案登録請求の範囲
【補正対象項目名】請求項４
【補正方法】変更
【補正の内容】
【請求項４】
請求項１から請求項３に記載の熱転写用プリント済紙体を使ってプリント図柄を転写することによりできる被服であって、
プリント図柄として個人情報に関するデザインを採用することで、第三者が該プリント図柄を見て被服着用者の個人情報を掌握することが可能であることを特徴とする個人情報表示被服。
【手続補正３】
【補正対象書類名】実用新案登録請求の範囲
【補正対象項目名】請求項５
【補正方法】変更
【補正の内容】
【請求項５】
前記個人情報表示被服において、
プリント図柄としてＩＤカード情報に関するデザインを採用することで、該プリント図柄を提示してＩＤカードの提示と同様の効果を奏することを特徴とする請求項４に記載の個人情報表示被服。
【手続補正書】
【提出日】平成22年4月22日(2010.4.22)
【手続補正１】
【補正対象書類名】実用新案登録請求の範囲
【補正対象項目名】請求項４
【補正方法】変更
【補正の内容】
【請求項４】
請求項１乃至請求項３のいずれか１項に記載の熱転写用プリント済紙体を使ってプリント図柄を転写することによりできる被服であって、
プリント図柄として個人情報に関するデザインを採用することで、第三者が該プリント図柄を見て被服着用者の個人情報を掌握することが可能であることを特徴とする個人情報表示被服。